(57)【要約】【課題】  Ｗｅｂブラウザーで表示しているアプリケーションをユーザーに把握しやすくする技術を提供する。【解決手段】  アプリケーションのタイトルとアイコンを含むアプリケーションのボタンを表示し、アプリケーションを指定し、指定されたアプリケーションのタイトルとアイコンを取得する。Ｗｅｂブラウザーに指定したアプリケーションを表示し、Ｗｅｂブラウザーのタイトル領域に、取得したアプリケーションのタイトルとアイコンを表示する。【選択図】  図３
2018133000.tif 000002
【特許請求の範囲】
【請求項１】
アプリケーションのタイトルとアイコンを含むアプリケーションのボタンを表示する表示手段と、
前記アプリケーションを指定する指定手段と、
前記指定したアプリケーションを表示するＷｅｂブラウザーと、
前記指定されたアプリケーションのタイトルとアイコンを取得する取得手段を有し、
前記Ｗｅｂブラウザーのタイトル領域に、前記取得したアプリケーションのタイトルとアイコンを表示することを特徴とする情報処理装置。
【請求項２】
前記表示手段は、複数のアプリケーションのボタンを表示することを特徴とする請求項１に記載の情報処理装置。
【請求項３】
前記アプリケーションのタイトルとアイコンに関する情報を保持する保持手段をさらに有することを特徴とする請求項１又は請求項２に記載の情報処理装置。
【請求項４】
前記保持手段は、１つのアプリケーションに対して、複数のアイコンに関する情報を保持することを特徴とする請求項３に記載の情報処理装置。
【請求項５】
前記表示手段は、さらに、少なくとも、コピー機能のボタン、送信機能のボタン、文書保存機能のボタンのいずれかのボタンを表示することを特徴とする請求項１乃至４の何れか１項に記載の情報処理装置。
【請求項６】
Ｗｅｂブラウザーを有する情報処理装置の制御方法であって、
アプリケーションのタイトルとアイコンを含むアプリケーションのボタンを表示する表示工程と、
前記アプリケーションを指定する指定工程と、
前記指定されたアプリケーションのタイトルとアイコンを取得する取得工程を有し、
前記Ｗｅｂブラウザーに前記指定したアプリケーションを、前記Ｗｅｂブラウザーのタイトル領域に、前記取得したアプリケーションのタイトルとアイコンを表示することを特徴とする情報処理装置の制御方法。
【請求項７】
前記表示工程は、複数のアプリケーションのボタンを表示することを特徴とする請求項６に記載の情報処理装置の制御方法。
【請求項８】
前記アプリケーションのタイトルとアイコンに関する情報を保持する保持工程をさらに有することを特徴とする請求項６又は請求項７に記載の情報処理装置の制御方法。
【請求項９】
前記保持工程は、１つのアプリケーションに対して、複数のアイコンに関する情報を保持することを特徴とする請求項８に記載の情報処理装置の制御方法。
【請求項１０】
前記表示工程は、さらに、少なくとも、コピー機能のボタン、送信機能のボタン、文書保存機能のボタンのいずれかのボタンを表示することを特徴とする請求項６乃至９の何れか１項に記載の情報処理装置の制御方法。
【請求項１１】
請求項１乃至５の何れか１項に記載の情報処理装置としてコンピュータを機能させるための該コンピュータで読み取り可能なプログラム。
【発明の詳細な説明】
【技術分野】
【０００１】
本発明は、ブラウザーを備える情報処理装置、その制御方法及びプログラムに関するものである。
【背景技術】
【０００２】
一般的にスマートフォンと呼ばれる携帯端末やスキャナやプリンタを備えたＭＦＰ（Ｍｕｌｔｉ  Ｆｕｎｃｔｉｏｎ  Ｐｅｒｉｐｈｅｒａｌ、以下、画像形成装置と称する。）の中にも、Ｗｅｂブラウザーを備えているものがある。携帯端末や画像形成装置は、起動時に利用可能な複数の機能メニューの一覧を起動時に表示することでユーザーの利便性を高めている。（以下、メインメニュー３０２と称する。）携帯端末や画像形成装置に追加可能なアプリケーション（以下、アプリケーションと称する）も存在する。アプリケーションを追加して開始すると、メインメニューに利用可能な機能として表示する。メインメニューには、アプリケーションが保持する特定の名称とアイコンをボタン表示することで利便性を高めている。
【０００３】
近年、特定のトップページアドレスを保持しておき、サイトの利用を限定するためのボタンをメインメニューに表示するアプリケーションも存在する。メインメニューのボタンを押下すると、Ｗｅｂブラウザー機能を呼び出す。Ｗｅｂブラウザーは特定のトップページアドレスから取得したコンテンツをＷｅｂブラウザーの操作画面に表示する。Ｗｅｂブラウザーの操作画面に、コンテンツに存在するタイトルと画像をタイトル領域に表示する機能を提供することも一般的である。（特許文献１）
【先行技術文献】
【特許文献】
【０００４】
【特許文献１】特開２００９−５４１８８号公報
【発明の概要】
【発明が解決しようとする課題】
【０００５】
特定のトップページアドレスを保持するアプリケーションは、メインメニューにアプリケーションが保持する特定の名称とアイコンをメインメニューのボタンに表示する。ボタン押下後に、Ｗｅｂブラウザーに遷移する。Ｗｅｂブラウザーの操作画面には、コンテンツの内容が表示されるが、Ｗｅｂブラウザーのタイトル領域には、アプリケーションを示す情報は表示されず、ユーザーに、どのアプリケーションを表示しているのか、把握しづらいという課題があった。
【０００６】
本願発明は、Ｗｅｂブラウザーで表示しているアプリケーションをユーザーに把握しやすくする技術を提供することを目的とする。
【課題を解決するための手段】
【０００７】
本願発明の情報処理装置は、アプリケーションのタイトルとアイコンを含むアプリケーションのボタンを表示する表示手段と、前記アプリケーションを指定する指定手段と、
前記指定したアプリケーションを表示するＷｅｂブラウザーと、前記指定されたアプリケーションのタイトルとアイコンを取得する取得手段を有し、前記Ｗｅｂブラウザーのタイトル領域に、前記取得したアプリケーションのタイトルとアイコンを表示することを特徴とする。
【発明の効果】
【０００８】
本発明によれば、Ｗｅｂブラウザーで表示しているアプリケーションをユーザーに把握しやすくすることができる。
【図面の簡単な説明】
【０００９】
【図１】システムの全体図
【図２】（ａ）携帯端末１００の構成を示すブロック図、（ｂ）画像形成装置１０１の構成を示すブロック図
【図３】ソフトウェア構成図
【図４】管理テーブルのイメージ図
【図５】Ｗｅｂブラウザーの操作画面を表示する処理のシーケンス図
【図６】操作画面のイメージ図
【図７】アイコンのイメージ図
【発明を実施するための形態】
【００１０】
以下、本発明を実施するための形態について図面を用いて説明する。
【００１１】
（第１の実施形態）
以下、本発明を実施するための最良の形態について図面を用いて説明する。尚、以下の実施の形態は特許請求の範囲に係る発明を限定するものでなく、また実施の形態で説明されている特徴の組み合わせの全てが発明の解決手段に必須のものとは限らない。
【００１２】
図１は、第１の実施形態における画像処理システムの全体図である。ネットワーク１１０には、携帯端末１００と画像形成装置１０１とサーバー１０２が互いに通信可能に接続されている。
【００１３】
図２（ｂ）は、画像形成装置１０１の構成を示すブロック図である。ＣＰＵ２１１を含む制御部２１０は、画像形成装置１０１全体の動作を制御する。ＣＰＵ２１１は、ＲＯＭ２１２に記憶された制御プログラムを読み出して読取制御や送信制御などの各種制御処理を実行する。ＲＡＭ２１３は、ＣＰＵ２１１の主メモリ、ワークエリア等の一時記憶領域として用いられる。ＨＤＤ２１４は、画像データや各種プログラムを記憶する。
【００１４】
操作部Ｉ／Ｆ２１５は、操作部２１９と制御部２１０とを接続する。操作部２１９には、タッチパネル機能を有する液晶表示部やキーボードなどが備えられている。
【００１５】
プリンタＩ／Ｆ２１６は、プリンタ２２０と制御部２１０とを接続する。プリンタ２２０で印刷すべき画像データはプリンタＩ／Ｆ２１６を介して制御部２１０からプリンタ２２０に転送され、プリンタ２２０において記録媒体上に印刷される。
【００１６】
スキャナＩ／Ｆ２１７は、スキャナ２２１と制御部２１０とを接続する。スキャナ２２１は、原稿上の画像を読み取って画像データを生成し、スキャナＩ／Ｆ２１７を介して制御部２１０に入力する。
【００１７】
ネットワークＩ／Ｆ２１８は、制御部２１０（画像形成装置１０１）をネットワーク１１０に接続する。ネットワークＩ／Ｆ２１８は、ネットワーク１１０上の外部装置（例えばサーバー１０２）にＷｅｂブラウザーがアクセスする接続先のサーバー１０２のＵＲＬアドレスを送信する。
【００１８】
図３は、画像形成装置１０１のＲＯＭ２１２に格納された各制御プログラムをＣＰＵ２１１が実行することにより実現されるソフトウェア構成図である。
【００１９】
アプリケーション３００、Ｗｅｂブラウザー３０１、メインメニュー３０２により構成される。アプリケーション３００は、設定情報管理部３００１、表示処理実行部３００２から成る。Ｗｅｂブラウザー３０１は、以下からなる。表示処理部３０１１、タイトル登録部３０１２、アイコン登録部３０１３、タイトル取得部３０１４、アイコン取得部３０１５。タイトル管理部３０１６、アイコン管理部３０１７、コンテンツ取得部３０１８、タイトル領域表示部３０１９、コンテンツ領域表示部３０２０。メインメニュー３０２は、ボタン管理部３０２１から成る。
【００２０】
設定情報管理部３００１は、図４（ａ）で示すようにアプリケーションＩＤ、トップページアドレス、タイトル文字列、アイコンの設定値を管理する。図４（ａ）は、設定情報管理テーブルのイメージ図である。具体的には、アプリケーション毎のユニークなアプリケーションＩＤ、トップページアドレス、タイトル文字列、サイズの異なる複数のアイコン（小、中、大の３種類）を管理する。
【００２１】
表示処理実行部３００２は、ボタン押下を認識し、Ｗｅｂブラウザー３０１が提供する表示処理を実行する。
【００２２】
表示処理部３０１１は、Ｗｅｂブラウザー３０１の操作画面の表示処理を受け付ける。表示処理は、アプリケーションＩＤ、トップページアドレス、タイトル文字列、複数のアイコンを引数に受け取る。タイトル登録部３０１２が提供する登録処理を呼び、アイコン登録部３０１３が提供する登録処理を呼ぶ。タイトル取得部３０１４が提供するタイトル文字列を取得する処理を呼び、アイコン取得部３０１５が提供するアイコンを取得する処理を呼ぶ。コンテンツ取得部３０１８が提供するコンテンツ取得処理を呼ぶ。タイトル領域表示部３０１９が提供するタイトル文字列表示処理、アイコン表示処理を呼ぶ。
【００２３】
タイトル登録部３０１２は、アプリケーションＩＤとタイトル文字列を引数にタイトル管理部３０１６に登録する登録処理を提供する。登録時にアプリケーションＩＤが重複すれば、タイトル文字列を更新する。アイコン登録部３０１３は、アプリケーションＩＤと複数のアイコンを引数にアイコン管理部３０１７に登録する登録処理を提供する。登録時にアプリケーションＩＤが重複すれば、複数のアイコンを更新する。タイトル取得部３０１４は、アプリケーションＩＤを引数にタイトル管理部３０１６からタイトル文字列を取得する処理を提供する。アイコン取得部３０１５は、アプリケーションＩＤに引数にアイコン管理部３０１７から複数のアイコンを取得する処理を提供する。
【００２４】
タイトル管理部３０１６は、タイトル文字列を登録、取得、更新する機能を提供する。具体的には、アプリケーションＩＤ、タイトル文字列を管理する。図４（ｂ）は、タイトル管理テーブルのイメージ図である。アイコン管理部３０１７は、複数のアイコンを登録、取得、更新する機能を提供する。具体的には、アプリケーションＩＤ、アイコン（小サイズ）、アイコン（中サイズ）、アイコン（大サイズ）を管理する。図４（ｃ）は、アイコン管理テーブルのイメージ図である。
【００２５】
コンテンツ取得部３０１８は、アドレス（一般的にＵＲＬなどと称されるもの）を引数にサーバー１０２にアクセスしてコンテンツを取得する。コンテンツは、ＨＴＭＬなどと一般的に称されるもので、Ｗｅｂブラウザーの操作画面に表示する。タイトル領域表示部３０１９は、引数で受けたタイトル文字列をタイトル領域に表示し、引数で受けた複数のアイコンをタイトル領域に表示する処理を提供する。なお、複数のアイコンが渡されるのは、Ｗｅｂブラウザー３０１の操作画面が異なる場合等に利用するアイコンが異なるためである。タイトル領域表示部３０１９は、引数で受けた複数のアイコンのうち表示領域に最適なアイコンを一つ表示対象と認識する。
【００２６】
コンテンツ領域表示部３０２０は、引数で受けたコンテンツをコンテンツ領域に表示する処理を提供する。ボタン管理部３０２１は、メインメニュー３０２に表示する機能メニューボタンを管理する。具体的には、アプリケーション、アイコン、タイトル文字列を管理する。図４（ｄ）は、ボタン管理テーブルのイメージ図である。
【００２７】
画像形成装置１０１がネットワーク上のＷｅｂサーバーに接続され、Ｗｅｂサーバー上のＷｅｂアプリケーションにより提供される操作画面を、画像形成装置１０１が備えるＷｅｂブラウザー上に表示する。
【００２８】
Ｗｅｂブラウザーに表示された操作画面を介してユーザーが指示を入力すると、入力された指示をＷｅｂブラウザーがＷｅｂサーバーに対して通知する。そして、この通知を受けたＷｅｂサーバー上のＷｅｂアプリケーションは、入力された指示に従って処理を実行する。図６（ｃ）は、Ｗｅｂブラウザーが提供する操作画面のイメージ図である。操作画面は、タイトル領域６１０１５、コンテンツ領域６１０１２、ツールボタン領域６１０１３、ＵＲＬ入力領域６１０１４から構成される。
【００２９】
画像形成装置１０１は、コピー機能、送信機能（以降、ｓｅｎｄ機能と称する）、文書保存機能（以降、ｂｏｘ機能と称する）、Ｗｅｂブラウザー機能の複数の機能をあらかじめ有し、利用可能なメインメニューを起動時に表示する（図６（ａ）はイメージ図）。
アプリケーションを追加して開始すると、メインメニューに利用可能な機能として追加表示する。メインメニューには、アプリケーションが保持する特定の名称とアイコンをボタン６０１に表示する。アプリケーションは、特定のトップページアドレスを保持し、ボタン６０１を押下すると、Ｗｅｂブラウザー機能を呼び出す。Ｗｅｂブラウザーは特定のトップページアドレスから取得したコンテンツを含んだ操作画面６１０１を表示する。具体的には、コンテンツを６１０１２に表示する。コンテンツに存在するタイトルと画像（一般的にファビコンと称される）を６１０１１に表示する。
【００３０】
コンテンツに存在するタイトルとして、サーバー１０２からのＨＴＭＬレスポンスに＜ＴＩＴＬＥ＞タグを記述する文字列が一般的である。画像は、サーバー１０２からのＨＴＭＬレスポンスのファビコンが一般的である。あわせて、特定のトップページアドレスを６１０１４に表示し、利用可能なツールボタンを６１０１３に表示する。
【００３１】
（Ｗｅｂブラウザー３０１の操作画面を表示する処理）
本実施形態における画像形成装置１０１の表示処理部３０１１が提供するＷｅｂブラウザー３０１の操作画面を表示する処理を図５のフローチャートを用いて説明する。
【００３２】
図５のフローチャートに示す各動作は、画像形成装置１０１のＣＰＵ２１１が制御プログラムを実行することにより実現される。
【００３３】
Ｓ５０００で、表示処理実行部３００２は、メインメニュー３０２に表示したボタンが押下されたことを認識する。
【００３４】
Ｓ５００１で、表示処理実行部３００２は、設定情報管理部３００１からアプリケーションＩＤ、トップページアドレス、タイトル文字列、複数のアイコンを取得する。Ｓ５００２で、表示処理実行部３００２は、表示処理部３０１１が提供するＷｅｂブラウザー３０１の操作画面の表示処理を呼ぶ。表示処理部３０１１は、表示処理の引数にアプリケーションＩＤ、トップページアドレス、タイトル文字列、複数のアイコンを認識する。
【００３５】
Ｓ５００３で、表示処理部３０１１は、Ｓ５００２で認識したアプリケーションＩＤとタイトル文字列を引数に、タイトル登録部３０１２が提供する登録処理を呼び出す。Ｓ５００４で、タイトル登録部３０１２は、Ｓ５００３で認識したアプリケーションＩＤとタイトル文字列を引数にタイトル管理部３０１６に登録する。なお、アプリケーションＩＤがタイトル管理部３０１６に登録済みの場合は、Ｓ５００４で認識したタイトル文字列に更新する。
【００３６】
Ｓ５００５で、表示処理部３０１１は、Ｓ５００２で認識したアプリケーションＩＤと複数のアイコンを引数に、アイコン登録部３０１３が提供する登録処理を呼び出す。
【００３７】
Ｓ５００６で、アイコン登録部３０１３は、Ｓ５００５で認識したアプリケーションＩＤと複数のアイコンを引数にアイコン管理部３０１７に登録する。なお、アプリケーションＩＤがアイコン管理部３０１７に登録済みの場合は、Ｓ５００５で認識した複数のアイコンに更新する。
【００３８】
Ｓ５００７で、表示処理部３０１１は、Ｓ５００２で認識したアプリケーションＩＤを引数に、タイトル取得部３０１４が提供するタイトル文字列を取得する処理を呼び、取得結果のタイトル文字列を認識する。
【００３９】
Ｓ５００８で、タイトル取得部３０１４は、Ｓ５００７で認識したアプリケーションＩＤに対応するタイトル文字列をタイトル管理部３０１６から取得し、取得結果を返す。
【００４０】
Ｓ５００９で、表示処理部３０１１は、Ｓ５００２で認識したアプリケーションＩＤを引数に、アイコン取得部３０１５が提供するアイコン取得処理を呼び、取得結果の複数のアイコンを認識する。
【００４１】
Ｓ５０１０で、アイコン取得部３０１５は、Ｓ５００９で認識したアプリケーションＩＤに対応する複数のアイコンをアイコン管理部３０１７から取得し、取得結果を返す。
【００４２】
Ｓ５０１１で、表示処理部３０１１は、Ｓ５００２で認識したトップページアドレスを引数にコンテンツ取得部３０１８が提供するコンテンツ取得処理を呼び、取得結果を認識する。
【００４３】
Ｓ５０１２で、コンテンツ取得部３０１８は、Ｓ５０１１で認識したトップページアドレス（一般的にＵＲＬなどと称されるもの）を引数にサーバー１０２にアクセスしてコンテンツを取得する。
【００４４】
Ｓ５０１３で、表示処理部３０１１は、Ｓ５００７で認識したタイトル文字列を引数にタイトル領域表示部３０１９が提供するタイトル文字列表示処理を呼ぶ。タイトル領域表示部３０１９は受け取ったタイトル文字列をＷｅｂブラウザー３０１の操作画面のタイトル領域に表示する。
【００４５】
Ｓ５０１４で、表示処理部３０１１は、Ｓ５００９で認識した複数のアイコンを引数にタイトル領域表示部３０１９が提供するアイコン表示処理を呼ぶ。タイトル領域表示部３０１９は受け取ったアイコンをＷｅｂブラウザー３０１の操作画面のタイトル領域に表示する。
【００４６】
Ｓ５０１５で、表示処理部３０１１は、Ｓ５０１１で認識したコンテンツを引数にコンテンツ領域表示部３０２０が提供するコンテンツ領域に表示する処理を呼ぶ。コンテンツ領域表示部３０２０は受け取ったコンテンツをＷｅｂブラウザー３０１の操作画面のコンテンツ領域に表示する。
【００４７】
なを、Ｗｅｂブラウザー３０１の操作画面のツールボタン領域６１０１３、ＵＲＬ入力領域６１０１４をあわせて表示するが、Ｗｅｂブラウザー３０１の一般的な機能なので説明を割愛する。
【００４８】
（Ｗｅｂブラウザー３０１の操作画面を表示する処理の適用例）
本実施形態における画像形成装置１０１の表示処理部３０１１が提供するＷｅｂブラウザー３０１の操作画面を表示する処理の適用例を図５、図６（ｄ）、図７を用いて説明する。
【００４９】
本適用例の前提は以下の通りとする。設定情報管理部３００１には、図４（ａ）のアプリケーションＩＤ（４００１）、トップページアドレス（４００２）、タイトル文字列（４００３）、複数のアイコン（４００４、４００５、４００６）が登録済みである。４００４のイメージ図は図７の７００、４００５のイメージ図は図７の７０１、４００６のイメージ図は図７の７０２である。ボタン管理部３０２１には、図４（ｄ）のアプリケーション（３４００１）、アイコン（３４００２）、タイトル文字列（３４００３）が登録済みである。図６（ａ）の６０１はアプリケーション６４００１のメインメニュー３０２の表示イメージである。アプリケーション３４００１は、アプリケーション３００と同様の構成から成るものであり、ボタン６０１の押下に伴い、以下Ｓ５０００を開始する。
【００５０】
Ｓ５０００で、表示処理実行部３００２は、メインメニュー３０２に表示したボタン６０１が押下されたことを認識する。
【００５１】
Ｓ５００１で、表示処理実行部３００２は、設定情報管理部３００１からアプリケーションＩＤ、トップページアドレス、タイトル文字列、複数のアイコンを取得する。具体的には、アプリケーションＩＤ（図４の４００１）、トップページアドレス（図４の４００２）、タイトル文字列（図４の４００３）、複数のアイコン（図４の４００４、４００５、４００６）である。
【００５２】
Ｓ５００２で、表示処理実行部３００２は、表示処理部３０１１が提供するＷｅｂブラウザー３０１の操作画面の表示処理を呼ぶ。表示処理部３０１１は、表示処理が呼ばれる際の引数のアプリケーションＩＤ（４００１）、トップページアドレス（４００２）、タイトル文字列（４００３）、複数のアイコン（４００４、４００５、４００６）を認識する。
【００５３】
Ｓ５００３で、表示処理部３０１１は、Ｓ５００２で認識したアプリケーションＩＤ（４００１）とタイトル文字列（４００３）を引数に、タイトル登録部３０１２が提供する登録処理を呼び出す。
【００５４】
Ｓ５００４で、タイトル登録部３０１２は、Ｓ５００３で認識したアプリケーションＩＤ（４００１）とタイトル文字列（４００３）を引数にタイトル管理部３０１６に登録する。なお、アプリケーションＩＤがタイトル管理部３０１６に登録済みの場合は、Ｓ５００４で認識したタイトル文字列に更新する。本適用例において、図４（ｂ）は空であったものとし、アプリケーションＩＤ（図４の１４００１）、タイトル文字列（図４の１４００２）を登録したものとする。
【００５５】
Ｓ５００５で、表示処理部３０１１は、Ｓ５００２で認識したアプリケーションＩＤ（４００１）と複数のアイコン（図４の４００４、４００５、４００６）を引数に、アイコン登録部３０１３が提供する登録処理を呼び出す。
【００５６】
Ｓ５００６で、アイコン登録部３０１３は、Ｓ５００５で認識したアプリケーションＩＤ（４００１）と複数のアイコン（４００４、４００５、４００６）を引数にアイコン管理部３０１７に登録する。なお、アプリケーションＩＤがアイコン管理部３０１７に登録済みの場合は、Ｓ５００５で認識した複数のアイコンに更新する。本適用例において、図４（ｃ）は空であったものとし、アプリケーションＩＤ（図４の２４００１）、複数のアイコン（図４の２４００２、２４００３、２４００４）を登録したものとする。
【００５７】
Ｓ５００７で、表示処理部３０１１は、Ｓ５００２で認識したアプリケーションＩＤ（４００１）を引数に、タイトル取得部３０１４が提供するタイトル文字列を取得する処理を呼び、タイトル文字列を認識する。
【００５８】
Ｓ５００８で、タイトル取得部３０１４は、Ｓ５００７で認識したアプリケーションＩＤ（４００１）に対応するタイトル文字列（図４の１４００２）をタイトル管理部３０１６から取得し、取得結果を返す。
【００５９】
Ｓ５００９で、表示処理部３０１１は、Ｓ５００２で認識したアプリケーションＩＤ（４００１）を引数に、アイコン取得部３０１５が提供するアイコン取得処理を呼び、取得結果の複数のアイコンを認識する。
【００６０】
Ｓ５０１０で、アイコン取得部３０１５は、Ｓ５００９で認識したアプリケーションＩＤ（４００１）に対応する複数のアイコン（図４の２４００２、２４００３、２４００４）をアイコン管理部３０１７から取得し、取得結果を返す。
【００６１】
Ｓ５０１１で、表示処理部３０１１は、Ｓ５００２で認識したトップページアドレス（４００２）を引数にコンテンツ取得部３０１８が提供するコンテンツ取得処理を呼び、取得結果を認識する。
【００６２】
Ｓ５０１２で、コンテンツ取得部３０１８はＳ５０１１で認識したトップページアドレス（一般的にＵＲＬなどと称されるもの）を引数にサーバー１０２にアクセスしてコンテンツを取得する。
【００６３】
Ｓ５０１３で、表示処理部３０１１は、Ｓ５００７で認識したタイトル文字列（１４００２）を引数にタイトル領域表示部３０１９が提供するタイトル文字列表示処理を呼ぶ。タイトル領域表示部３０１９は受け取ったタイトル文字列（図４の１４００２）をＷｅｂブラウザー３０１の操作画面のタイトル領域に表示する。
【００６４】
Ｓ５０１４で、表示処理部３０１１は、Ｓ５００９で認識した複数のアイコン（２４００２、２４００３、２４００４）を引数にタイトル領域表示部３０１９が提供するアイコンを表示する処理を呼ぶ。タイトル領域表示部３０１９は受け取った複数のアイコン（２４００２、２４００３、２４００４）のうち最適な一つのアイコンをＷｅｂブラウザー３０１の操作画面のタイトル領域に表示する。本適用例において、アイコン２４００２が表示領域に最適なアイコンであるものとする。アイコン２４００２のイメージ図は７００である。
【００６５】
Ｓ５０１５で、表示処理部３０１１は、Ｓ５０１１で認識したコンテンツを引数にコンテンツ領域表示部３０２０が提供するコンテンツ領域に表示する処理を呼ぶ。コンテンツ領域表示部３０２０はコンテンツをＷｅｂブラウザー３０１の操作画面のコンテンツ領域に表示する。
【００６６】
図６（ｃ）は、表示処理部３０１１が表示するＷｅｂブラウザー３０１の操作画面のイメージ図である。ボタン６０１のタイトル文字列とアイコンが、Ｗｅｂブラウザー３０１の操作画面のタイトル領域６１０１５のタイトル文字列（１４００２）とアイコン（２４００２）に引き継いで表示する効果を得る。尚、図６（ｂ）は、従来のＷｅｂブラウザーの操作画面のイメージ図である。
【００６７】
従来は、メインメニューのボタン６０１の名称（“ＸＸ申請”）とアイコンを表示する。ボタン６０１を押下すると、特定のトップページアドレスを保持するアプリケーションのボタンであるため、Ｗｅｂブラウザーを表示する。Ｗｅｂブラウザーは、特定のトップページアドレスからコンテンツを取得する。Ｗｅｂブラウザーはコンテンツに存在する＜ＴＩＴＬＥ＞タグ（“ＣｏｍｐａｎｙＡ”）とファビコンをタイトル領域６１０１１に表示する。従って、ボタン６０１に表示する名称とアイコン画像が、Ｗｅｂブラウザーのタイトル領域には引き継がれて表示されていなかった。
【００６８】
つまり、Ｗｅｂブラウザーのタイトル領域は、従来だと、６１０１１のように、アプリケーションを示す情報でないものが表示されていた。それに対して、本実施形態だと、６１０１５のように、アプリケーションを示すタイトル文字列とアイコンが表示され、ユーザーが表示されているアプリケーションを把握しやすくなる。
【００６９】
本実施形態では、画像形成装置１０１において実施される例を説明したが、図２（ａ）のような携帯端末１００で実施されてもよい。携帯端末（情報処理装置）の場合は、プリンタやスキャナを有しないので、携帯端末のメインメニュー３０２で表示される画面は、図６（ａ）の代わりに、図６（ｄ）となる。図６（ｄ）は、メール機能と特定のトップページアドレスを保持したアプリケーションが利用可能なメインメニューのイメージ図であり、ボタン６０１を押下するとＷｅｂブラウザーは操作画面６１０１を表示する。
【００７０】
以上説明したように、本実施形態によれば、ボタン６０１のタイトル文字列とアイコンを、Ｗｅｂブラウザー３０１の操作画面のタイトル領域６１０１５のタイトル文字列とアイコンに引き継いで表示する。このことで、限定したサイトを利用するためのアプリケーションの利便性が高まる。
【００７１】
特定のトップページアドレスを保持するアプリケーションのボタン押下後に呼び出す、Ｗｅｂブラウザーの表示処理にタイトル文字列とアイコンを指定可能にする。Ｗｅｂブラウザーは引数に指定されたタイトル文字列とアイコンをタイトル領域に表示することで、メインメニューで表示していた名称とアイコン（画像）を引き継ぐことが可能になる。
【００７２】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2018133000.tif 000003
【図２】
2018133000.tif 000004
【図３】
2018133000.tif 000005
【図４】
2018133000.tif 000006
【図５】
2018133000.tif 000007
【図６】
2018133000.tif 000008
【図７】
2018133000.tif 000009